(57)【要約】【課題】動力回収機での動力の回収量を安定させることが可能な過給機付エンジン搭載内燃機関を提供すること。【解決手段】過給機付エンジン搭載内燃機関であって、エンジン（１０）と、過給機（２０）と、蒸発器（４２）と、膨張機（４４）と、動力回収機（４６）と、凝縮器（４８）と、ポンプ（５０）と、制御部（６０）と、を備え、制御部（６０）は、蒸発器（４２）に流入する過給空気の熱量の増減に応じて蒸発器（４２）への作動媒体の流入量を増減させる調整部（６２）と、蒸発器（４２）に流入する過給空気の温度の所定期間における変化度が閾値以上になったときに、そのことを示す温度変化信号を出力する温度変化検出部（６４）と、を有し、調整部（６２）は、低下信号を受信したときに、蒸発器（４２）への作動媒体の流入量を低下信号を受信したときの流入量よりも少なくかつ一定の量である減少一定量に維持すること。【選択図】図１
2019011710.tif 000002
【特許請求の範囲】
【請求項１】
エンジンと、
前記エンジンから排出された排ガスにより駆動されるタービン及び前記タービンに接続されており前記エンジンに供給するための過給空気を吐出するコンプレッサーを有する過給機と、
前記コンプレッサーから吐出された過給空気と作動媒体とを熱交換させることによって前記作動媒体を蒸発させる蒸発器と、
前記蒸発器から流出した作動媒体を膨張させる膨張機と、
前記膨張機に接続された動力回収機と、
前記膨張機から流出した作動媒体を凝縮させる凝縮器と、
前記凝縮器から流出した作動媒体を前記蒸発器へ送るポンプと、
前記蒸発器への前記作動媒体の流入量を制御する制御部と、を備え、
前記制御部は、
前記蒸発器に流入する過給空気の熱量の増減に応じて前記蒸発器への前記作動媒体の流入量を増減させる調整部と、
前記蒸発器に流入する過給空気の温度の所定期間における変化度が閾値以上になったときに、そのことを示す温度変化信号を出力する温度変化検出部と、を有し、
前記調整部は、前記蒸発器への前記作動媒体の流入量を低下させることを示す低下信号を受信したときに、前記蒸発器への前記作動媒体の流入量を前記低下信号を受信したときの流入量よりも少なくかつ一定の量である減少一定量に維持する、過給機付エンジン搭載内燃機関。
【請求項２】
請求項１に記載の過給機付エンジン搭載内燃機関において、
前記温度変化検出部は、前記温度変化信号を前記低下信号として前記調整部に送信する、過給機付エンジン搭載内燃機関。
【請求項３】
請求項１又は２に記載の過給機付エンジン搭載内燃機関において、
前記調整部は、前記温度変化信号を受信すると、当該温度変化信号の受信前の特定期間における前記蒸発器への前記作動媒体の流入量の最小値以下の量を前記減少一定量として設定する、過給機付エンジン搭載内燃機関。
【請求項４】
エンジンと、
前記エンジンから排出された排ガスにより駆動されるタービン及び前記タービンに接続されており前記エンジンに供給するための過給空気を吐出するコンプレッサーを有する過給機と、
前記コンプレッサーから吐出された過給空気と作動媒体とを熱交換させることによって前記作動媒体を蒸発させる蒸発器と、
前記蒸発器から流出した作動媒体を膨張させる膨張機と、
前記膨張機に接続された動力回収機と、
前記膨張機から流出した作動媒体を凝縮させる凝縮器と、
前記凝縮器から流出した作動媒体を前記蒸発器へ送るポンプと、
前記蒸発器への前記作動媒体の流入量を制御する制御部と、を備え、
前記制御部は、
前記膨張機に流入する作動媒体の過熱度が規定範囲内で推移するように前記蒸発器への前記作動媒体の流入量を調整する調整部と、
前記蒸発器に流入する過給空気の温度の所定期間における変化度が閾値以上になったときに、そのことを示す温度変化信号を出力する温度変化検出部と、を有し、
前記調整部は、前記過熱度の前記規定範囲の上限値を増加させることを示す上限値増加信号を受信したときに、前記規定範囲の上限値を一定値増加させる、過給機付エンジン搭載内燃機関。
【請求項５】
請求項４に記載の過給機付エンジン搭載内燃機関において、
前記温度変化検出部は、前記温度変化信号を前記上限値増加信号として前記調整部に送信する、過給機付エンジン搭載内燃機関。
【請求項６】
請求項４又は５に記載の過給機付エンジン搭載内燃機関において、
前記調整部は、前記蒸発器に流入する過給空気の温度の前記所定期間における最大値と最小値との差と同じ値を前記一定値として前記規定範囲の上限値に加える、過給機付エンジン搭載内燃機関。
【請求項７】
エンジンと、
前記エンジンから排出された排ガスにより駆動されるタービン及び前記タービンに接続されており前記エンジンに供給するための過給空気を吐出するコンプレッサーを有する過給機と、
前記コンプレッサーから吐出された過給空気と作動媒体とを熱交換させることによって前記作動媒体を蒸発させる蒸発器と、
前記蒸発器から流出した作動媒体を膨張させる膨張機と、
前記膨張機に接続された動力回収機と、
前記膨張機から流出した作動媒体を凝縮させる凝縮器と、
前記凝縮器から流出した作動媒体を前記蒸発器へ送るポンプと、
前記蒸発器への前記作動媒体の流入量を制御する制御部と、を備え、
前記制御部は、
前記膨張機に流入する作動媒体の過熱度が規定範囲内で推移するように前記蒸発器への前記作動媒体の流入量を調整する調整部を有し、
前記調整部は、前記蒸発器に流入する過給空気の温度の基準期間における最大値と最小値との差と同じ値を前記規定範囲の上限値に加える、過給機付エンジン搭載内燃機関。
【発明の詳細な説明】
【技術分野】
【０００１】
本発明は、過給機付エンジンを搭載する内燃機関に関する。
【背景技術】
【０００２】
従来、過給機からエンジンへ供給される過給空気の熱を回収する熱エネルギー回収ユニットを備える過給機付エンジン搭載内燃機関が知られている。例えば、特許文献１には、エンジンと、タービン及びコンプレッサーを有する過給機と、過給機からエンジンに供給される過給空気の熱を回収する排熱回収装置と、を備える船舶が開示されている。タービンは、エンジンから排出された排ガスによって駆動される。コンプレッサーは、タービンに接続されており、前記過給空気を吐出する。排熱回収装置は、作動媒体を蒸発させる蒸発器と、膨張機と、動力回収機と、凝縮器と、ポンプと、を備えている。蒸発器は、過給機のコンプレッサーとエンジンとを接続する吸気ラインに設けられている。つまり、排熱回収装置では、蒸発器において、エンジンに供給される前の過給空気から作動媒体が熱を受け取り、この熱エネルギーが膨張機を介して動力回収機によって回収される。
【先行技術文献】
【特許文献】
【０００３】
【特許文献１】特開２０１５−２００１８２号公報
【発明の概要】
【発明が解決しようとする課題】
【０００４】
特許文献１に記載されるような船舶では、荒天時等に動力回収機での動力の回収量に変動が生じ得る。具体的に、荒天時等には、エンジンの負荷が比較的大きく変動するため、過給機からエンジンに供給される過給空気の熱量も比較的大きく変動する。このため、蒸発器での作動媒体の過給空気からの受熱量、つまり、動力回収機での動力の回収量が変動する。
【０００５】
このような課題は、船舶に限らず、航空機や大型発電機等の過給機付エンジンを備える内燃機関において広く生じ得る。
【０００６】
本発明の目的は、動力回収機での動力の回収量の変動を抑制することが可能な過給機付エンジン搭載内燃機関を提供することである。
【課題を解決するための手段】
【０００７】
前記の目的を達成するため、本発明は、エンジンと、前記エンジンから排出された排ガスにより駆動されるタービン及び前記タービンに接続されており前記エンジンに供給するための過給空気を吐出するコンプレッサーを有する過給機と、前記コンプレッサーから吐出された過給空気と作動媒体とを熱交換させることによって前記作動媒体を蒸発させる蒸発器と、前記蒸発器から流出した作動媒体を膨張させる膨張機と、前記膨張機に接続された動力回収機と、前記膨張機から流出した作動媒体を凝縮させる凝縮器と、前記凝縮器から流出した作動媒体を前記蒸発器へ送るポンプと、前記蒸発器への前記作動媒体の流入量を制御する制御部と、を備え、前記制御部は、前記蒸発器に流入する過給空気の熱量の増減に応じて前記蒸発器への前記作動媒体の流入量を増減させる調整部と、前記蒸発器に流入する過給空気の温度の所定期間における変化度が閾値以上になったときに、そのことを示す温度変化信号を出力する温度変化検出部と、を有し、前記調整部は、前記蒸発器への前記作動媒体の流入量を低下させることを示す低下信号を受信したときに、前記蒸発器への前記作動媒体の流入量を前記低下信号を受信したときの流入量よりも少なくかつ一定の量である減少一定量に維持する、過給機付エンジン搭載内燃機関を提供する。
【０００８】
本過給機付エンジン搭載内燃機関（船舶等）では、荒天等に影響により、蒸発器に流入する過給空気の温度の所定期間における変化度が閾値以上になると、温度変化検出部が温度変化信号を出力する。よって、例えば、この温度変化信号が過給機付エンジン搭載内燃機関の作業員への報知信号（ブザー等）として利用される場合、その報知信号を受けた作業員が調整部に対して低下信号を送る（調整部に対して低下信号を送信可能なスイッチの操作等を行う）ことにより、蒸発器への作動媒体の流入量が、蒸発器に流入する過給空気の熱量の増減に応じて増減する状態から、前記低下信号を受信したときの流入量よりも少なくかつ一定の量である減少一定量に維持される状態に切り替わる。この結果、蒸発器から流出する（膨張機に流入する）作動媒体の圧力、すなわち、動力回収機での動力の回収量は低下するものの、その回収量は、蒸発器に流入する過給空気の温度変化の影響を受けない一定の値に維持される。よって、動力回収機での動力の回収量（出力）の変動が抑制される。
【０００９】
この場合において、前記温度変化検出部は、前記温度変化信号を前記低下信号として前記調整部に送信することが好ましい。
【００１０】
このようにすれば、温度変化検出部が過給空気の温度の所定期間における変化度が閾値以上となったことを検出したときに、自動的に動力回収機での動力の回収量が低下し、その回収量で安定する。
【００１１】
また、前記過給機付エンジン搭載内燃機関において、前記調整部は、前記温度変化信号を受信すると、当該温度変化信号の受信前の特定期間における前記蒸発器への前記作動媒体の流入量の最小値以下の量を前記減少一定量として設定することが好ましい。
【００１２】
このようにすれば、作動媒体が気液二相の状態で膨張機に流入することが抑制される。具体的に、前記減少一定量が特定期間における蒸発器への作動媒体の流入量の最小値よりも大きい場合、蒸発器への作動媒体の流入量が前記最小値であったときと同程度にまで蒸発器に流入する過給空気の熱量が減少したときに、蒸発器での作動媒体の蒸発が不十分となる。ただし、前記減少一定量を蒸発器への作動媒体の流入量の最小値以下の量に設定することにより、作動媒体の温度が飽和温度未満の状態で当該作動媒体が蒸発器から流出することが抑制されるので、作動媒体が気液二相の状態で膨張機に流入することが抑制される。
【００１３】
また、本発明は、エンジンと、前記エンジンから排出された排ガスにより駆動されるタービン及び前記タービンに接続されており前記エンジンに供給するための過給空気を吐出するコンプレッサーを有する過給機と、前記コンプレッサーから吐出された過給空気と作動媒体とを熱交換させることによって前記作動媒体を蒸発させる蒸発器と、前記蒸発器から流出した作動媒体を膨張させる膨張機と、前記膨張機に接続された動力回収機と、前記膨張機から流出した作動媒体を凝縮させる凝縮器と、前記凝縮器から流出した作動媒体を前記蒸発器へ送るポンプと、前記蒸発器への前記作動媒体の流入量を制御する制御部と、を備え、前記制御部は、前記膨張機に流入する作動媒体の過熱度が規定範囲内で推移するように前記蒸発器への前記作動媒体の流入量を調整する調整部と、前記蒸発器に流入する過給空気の温度の所定期間における変化度が閾値以上になったときに、そのことを示す温度変化信号を出力する温度変化検出部と、を有し、前記調整部は、前記過熱度の前記規定範囲の上限値を増加させることを示す上限値増加信号を受信したときに、前記規定範囲の上限値を一定値増加させる、過給機付エンジン搭載内燃機関を提供する。
【００１４】
この過給機付エンジン搭載内燃機関では、荒天等に影響により、蒸発器に流入する過給空気の温度の所定期間における変化度が閾値以上になると、温度変化検出部が温度変化信号を出力する。よって、例えば、この温度変化信号が過給機付エンジン搭載内燃機関の作業員への報知信号（ブザー等）として利用される場合、その報知信号を受けた作業員が調整部に対して上限値増加信号を送る（調整部に対して上限値増加信号を送信可能なスイッチの操作等を行う）ことにより、過熱度の規定範囲の上限値が一定値増加する。このため、蒸発器に流入する過給空気の温度が上昇したとしても、すなわち、動力回収量が増えるように蒸発器への作動媒体の流入量を増加させることが可能な状態になったとしても、蒸発器への作動媒体の流入量が調整部が上限値増加信号を受信したときの流入量から増加することが抑制される。よって、動力回収機での動力の回収量（出力）の変動が抑制される。
【００１５】
この場合において、前記温度変化検出部は、前記温度変化信号を前記上限値増加信号として前記調整部に送信することが好ましい。
【００１６】
このようにすれば、温度変化検出部が過給空気の温度の所定期間における変化度が閾値以上となったことを検出したときに、自動的に過熱度の規定範囲の上限値が増加する。よって、動力回収機での動力の回収量の変動が自動的に抑制される。
【００１７】
また、前記過給機付エンジン搭載内燃機関において、前記調整部は、前記蒸発器に流入する過給空気の温度の前記所定期間における最大値と最小値との差と同じ値を前記一定値として前記規定範囲の上限値に加えることが好ましい。
【００１８】
このようにすれば、より確実に動力回収機での動力の回収量の変動が抑制される。具体的に、規定範囲の上限値に加えられる前記一定値が蒸発器に流入する過給空気の温度の所定期間における最大値と最小値との差よりも小さい場合、蒸発器に流入する過給空気の温度が前記最大値程度にまで変化したときに、蒸発器での作動媒体の受熱量が増加するので、膨張機に流入する作動媒体の過熱度が上限値を超える。この結果、調整部は、蒸発器への作動媒体の流入量を増加させるので、動力回収機での動力の回収量が増加する。ただし、前記差と同じ値が前記一定値として規定範囲の上限値に加えられることにより、膨張機に流入する作動媒体の過熱度が前記一定値が加えられた後の上限値以上になることが抑制されるので、動力回収機での動力の回収量の変動がより確実に抑制される。
【００１９】
また、本発明は、エンジンと、前記エンジンから排出された排ガスにより駆動されるタービン及び前記タービンに接続されており前記エンジンに供給するための過給空気を吐出するコンプレッサーを有する過給機と、前記コンプレッサーから吐出された過給空気と作動媒体とを熱交換させることによって前記作動媒体を蒸発させる蒸発器と、前記蒸発器から流出した作動媒体を膨張させる膨張機と、前記膨張機に接続された動力回収機と、前記膨張機から流出した作動媒体を凝縮させる凝縮器と、前記凝縮器から流出した作動媒体を前記蒸発器へ送るポンプと、前記蒸発器への前記作動媒体の流入量を制御する制御部と、を備え、前記制御部は、前記膨張機に流入する作動媒体の過熱度が規定範囲内で推移するように前記蒸発器への前記作動媒体の流入量を調整する調整部を有し、前記調整部は、前記蒸発器に流入する過給空気の温度の基準期間における最大値と最小値との差と同じ値を前記規定範囲の上限値に加える、過給機付エンジン搭載内燃機関を提供する。
【００２０】
本過給機付エンジン搭載内燃機関においても、動力回収機での動力の回収量の変動が抑制される。具体的に、前記基準期間における前記差と同じ値が前記一定値として過熱度の規定範囲の上限値に加えられることにより、膨張機に流入する作動媒体の過熱度が前記一定値が加えられた後の上限値以上になることが抑制されるので、動力回収量の変動が抑制される。
【発明の効果】
【００２１】
以上のように、本発明によれば、動力回収機での動力の回収量の変動を抑制することが可能な過給機付エンジン搭載内燃機関を提供することができる。
【図面の簡単な説明】
【００２２】
【図１】本発明の第１実施形態の過給機付エンジン搭載内燃機関の構成を概略的に示す図である。
【図２】蒸発器に流入する過給空気の温度の推移と、ポンプの回転数の推移と、の関係の例を示す図である。
【図３】本発明の第２実施形態の過給機付エンジン搭載内燃機関の構成を概略的に示す図である。
【図４】蒸発器における過給空気の温度及び作動媒体の温度と、交換熱量と、の関係を示す図である。
【図５】熱エネルギー回収ユニットの変形例を示す図である。
【図６】熱エネルギー回収ユニットの変形例を示す図である。
【発明を実施するための形態】
【００２３】
以下、本発明を実施するための形態について、図面を参照しながら詳細に説明する。
【００２４】
（第１実施形態）
本発明の第１実施形態の過給機付エンジン搭載内燃機関について、図１及び図２を参照しながら説明する。この過給機付エンジン搭載内燃機関は、エンジン１０と、過給機２０と、熱エネルギー回収ユニット４０と、を備えている。本実施形態では、過給機付エンジン搭載内燃機関として、船舶が示される。つまり、エンジン１０として、船舶用エンジンが採用されている。
【００２５】
過給機２０は、エンジン１０から排出された排ガスによって駆動されるタービン２１と、タービン２１に接続されておりエンジン１０に供給するための過給空気を吐出するコンプレッサー２２と、を有する。コンプレッサー２２から吐出された過給空気は、コンプレッサー２２とエンジンとを接続する吸気ライン１１を通じてエンジンに供給される。エンジン１０から排出された排ガスは、エンジン１０とタービン２１とを接続する排気ライン１２を通じてタービン２１に供給される。
【００２６】
本実施形態では、吸気ライン１１にエアクーラ３０が設けられている。エアクーラ３０は、エンジン１０に供給される過給空気を冷却媒体（海水等）によって冷却する。
【００２７】
熱エネルギー回収ユニット４０は、蒸発器４２と、膨張機４４と、動力回収機４６と、凝縮器４８と、ポンプ５０と、蒸発器４２、膨張機４４、凝縮器４８及びポンプ５０をこの順に接続する循環流路５２と、制御部６０と、を備えている。
【００２８】
蒸発器４２は、吸気ライン１１のうちコンプレッサー２２とエアクーラ３０との間の部位に設けられている。蒸発器４２は、コンプレッサー２２から吐出された（エンジン１０に供給される）過給空気と作動媒体とを熱交換させることによって作動媒体を蒸発させる。
【００２９】
膨張機４４は、循環流路５２のうち蒸発器４２の下流側の部位に設けられている。膨張機４４は、蒸発器４２から流出した気相の作動媒体を膨張させる。本実施形態では、膨張機４４として、気相の作動媒体の膨張エネルギーにより回転駆動されるロータを有する容積式のスクリュ膨張機が用いられている。
【００３０】
動力回収機４６は、膨張機４４に接続されている。動力回収機４６は、膨張機４４の駆動に伴って回転することにより作動媒体から動力を回収する。本実施形態では、動力回収機４６として発電機が用いられている。なお、動力回収機４６として、圧縮機等が用いられてもよい。
【００３１】
凝縮器４８は、循環流路５２のうち膨張機４４の下流側の部位に設けられている。凝縮器４８は、膨張機４４から流出した作動媒体と冷却媒体（海水等）とを熱交換させることによって作動媒体を凝縮させる。
【００３２】
ポンプ５０は、循環流路５２のうち凝縮器４８の下流側の部位（凝縮器４８と蒸発器４２との間の部位）に設けられている。ポンプ５０は、凝縮器４８から流出した液相の作動媒体を蒸発器４２に送る。
【００３３】
制御部６０は、動力回収機４６での動力の回収量（本実施形態では発電量）が安定するように蒸発器４２への作動媒体の流入量を制御する。本実施形態では、制御部６０は、蒸発器４２に流入する過給空気の熱量の増減に応じて蒸発器４２への作動媒体の流入量を増減させる。蒸発器４２に流入する過給空気の熱量は、吸気ライン１１のうちコンプレッサー２２と蒸発器４２との間に設けられた圧力センサ７１及び温度センサ７２の各検出値に基づいて求められる。具体的に、制御部６０は、調整部６２と、温度変化検出部６４と、を有する。
【００３４】
調整部６２は、ポンプ５０の回転数を調整することによって蒸発器４２への作動媒体の流入量を調整する。図２には、ポンプ５０の回転数と、蒸発器４２に流入する過給空気の温度の推移と、の関係が例示されている。また、調整部６２は、蒸発器４２への作動媒体の流入量を低下させることを示す低下信号を受信したときに、蒸発器４２への作動媒体の流入量を前記低下信号を受信したときの流入量よりも少なくかつ一定の量である減少一定量（図２を参照）に維持する。
【００３５】
温度変化検出部６４は、蒸発器４２に流入する過給空気の温度（温度センサ７２の検出値）の所定期間（例えば３分）ｔ１における変化度が閾値以上となったときに、そのことを示す温度変化信号を出力する。具体的に、温度変化検出部６４は、蒸発器４２に流入する過給空気の温度の所定期間ｔ１における最大値と最小値との差ΔＴが基準値（例えば１０℃）以上になったときに、前記温度変化信号を出力する。本実施形態では、温度変化検出部６４は、温度変化信号を前記低下信号として調整部６２に送る。つまり、調整部６２は、温度変化検出部６４が出力する温度変化信号（低下信号）を受信したときに、蒸発器４２への作動媒体の流入量が前記減少一定量となるようにポンプ５０の回転数を低下させる。より具体的には、調整部６２は、温度変化信号を受信したときに、温度変化信号の受信前の特定期間（例えば数時間）ｔ２における蒸発器４２への作動媒体の流入量の最小値ｆｍｉｎ以下の量を前記減少一定量として設定する。
【００３６】
以上のように、本実施形態の船舶（過給機付エンジン搭載内燃機関）では、荒天等に影響により、蒸発器４２に流入する過給空気の温度の所定期間ｔ１における変化度が閾値以上になると、調整部６２は、温度変化検出部６４から出力された温度変化信号（低下信号）を受信することにより、蒸発器４２への作動媒体の流入量を、蒸発器４２に流入する過給空気の熱量の増減に応じて増減する状態から、前記温度変化信号を受信したときの流入量よりも少なくかつ一定の量である減少一定量に維持される状態に切り替える。この結果、蒸発器４２から流出する（膨張機４４に流入する）作動媒体の圧力、すなわち、動力回収機４６での動力の回収量は低下するものの、その回収量は、蒸発器４２に流入する過給空気の温度変化の影響を受けない一定の値に維持される。よって、動力回収機４６での動力の回収量（出力）の変動が抑制される。
【００３７】
また、調整部６２は、前記温度変化信号を受信すると、当該温度変化信号の受信前の特定期間ｔ２における蒸発器４２への作動媒体の流入量の最小値ｆｍｉｎ以下の量を前記減少一定量として設定する。このため、作動媒体が気液二相の状態で膨張機４４に流入することが抑制される。具体的に、前記減少一定量が特定期間ｔ２における蒸発器４２への作動媒体の流入量の最小値ｆｍｉｎよりも大きい場合、蒸発器４２への作動媒体の流入量が前記最小値ｆｍｉｎであったときと同程度にまで蒸発器４２に流入する過給空気の熱量（温度）が減少したときに、蒸発器４２での作動媒体の蒸発が不十分となる。ただし、前記減少一定量を前記最小値ｆｍｉｎ以下の量に設定することにより、蒸発器４２において作動媒体が過給空気から受け取る熱によって当該作動媒体が十分に蒸発するので、作動媒体の温度が飽和温度未満の状態で当該作動媒体が蒸発器４２から流出することが抑制される。よって、作動媒体が気液二相の状態で膨張機４４に流入することが抑制される。
【００３８】
なお、温度変化検出部６４が出力する温度変化信号は、船舶の作業員への報知信号（ブザー等）として用いられてもよい。この場合、その報知信号を受けた作業員は、調整部６２に前記低下信号を送信可能なスイッチの操作等を行う。これにより、蒸発器４２への作動媒体の流入量が前記減少一定量となるようにポンプ５０の回転数が低下する。このようにしても、動力回収機４６での動力の回収量（出力）の変動が抑制される。
【００３９】
また、蒸発器４２に流入する過給空気の熱量は、前記圧力センサ７１及び温度センサ７２の代わりに設けられた流量センサの検出値に基づいて求められてもよい。あるいは、蒸発器４２に流入する過給空気の熱量は、排気ライン１２内の排ガスの温度及び圧力や、排気ライン１２内の排ガスの流量に基づいて求められてもよい。
【００４０】
（第２実施形態）
次に、図３及び図４を参照しながら、本発明の第２実施形態の過給機付エンジン搭載内燃機関について説明する。なお、第２実施形態では、第１実施形態と異なる部分についてのみ説明を行い、第１実施形態と同じ構造、作用及び効果の説明は省略する。
【００４１】
本実施形態では、制御部６０の調整部６６は、膨張機４４に流入する作動媒体の過熱度が規定範囲内（例えば２℃〜５℃）で推移するように蒸発器４２への作動媒体の流入量（ポンプ５０の回転数）を調整する。この調整部６６は、前記規定範囲を記憶する記憶部６７を有している。なお、膨張機４４に流入する作動媒体の過熱度は、循環流路５２のうち蒸発器４２と膨張機４４との間の部位に設けられた圧力センサ７３及び温度センサ７４の各検出値に基づいて求められる。
【００４２】
温度変化検出部６４は、蒸発器４２に流入する過給空気の温度の所定期間ｔ１における最大値と最小値との差ΔＴが基準値（例えば１０℃）以上になったときに、そのことを示す温度変化信号を出力する。具体的に、温度変化検出部６４は、前記差ΔＴが基準値以上になったときに、前記温度変化信号として、過熱度の規定範囲の上限値α１を増加させることを示す上限値増加信号を調整部６６に送信する。調整部６６は、前記上限値増加信号を受信したときに、記憶部６７に記憶されている規定範囲の上限値α１を一定値増加させる。より具体的には、図４に示されるように、調整部６６は、前記所定期間ｔ１に温度変化検出部６４で検出された温度の最大値と最小値との差ΔＴと同じ値を前記一定値として規定範囲の上限値α１に加える。
【００４３】
以上のように、本実施形態の船舶（過給機付エンジン搭載内燃機関）では、荒天等に影響により、所定期間ｔ１に温度変化検出部６４で検出された温度の最大値と最小値との差ΔＴが基準値になると、調整部６６は、温度変化検出部６４から出力された温度変化信号（上限値増加信号）を受信することにより、記憶部６７に記憶されている規定範囲の上限値α１を一定値増加させる。このため、蒸発器４２に流入する過給空気の温度が上昇したとしても、すなわち、動力回収量が増えるように蒸発器４２への作動媒体の流入量を増加させることが可能な状態になったとしても、蒸発器４２への作動媒体の流入量が調整部６６が上限値増加信号を受信したときの流入量から増加することが抑制される。よって、動力回収機４６での動力の回収量（出力）の変動が抑制される。
【００４４】
また、調整部６６は、蒸発器４２に流入する過給空気の温度の所定期間ｔ１における最大値と最小値との差ΔＴと同じ値を前記一定値として規定範囲の上限値α１に加える。このため、より確実に動力回収機４６での動力の回収量の変動が抑制される。具体的に、規定範囲の上限値α１に加えられる前記一定値が蒸発器４２に流入する過給空気の温度の所定期間ｔ１における最大値と最小値との差ΔＴよりも小さい場合、蒸発器４２に流入する過給空気の温度が前記最大値程度にまで変化したときに、蒸発器４２での作動媒体の受熱量が増加するので、膨張機４４に流入する作動媒体の過熱度が上限値を超える。この結果、調整部６６は、蒸発器４２への作動媒体の流入量を増加させるので、動力回収機４６での動力の回収量が増加する。ただし、前記差ΔＴと同じ値が前記一定値として規定範囲の上限値α１に加えられることにより、膨張機４４に流入する作動媒体の過熱度が前記一定値が加えられた後の上限値以上になることが抑制されるので、動力回収機４６での動力の回収量の変動がより確実に抑制される。
【００４５】
なお、本実施形態において、調整部６６は、温度変化信号の受信によることなく、基準期間（例えば３分）における温度センサ７２の検出値の最大値と最小値との差ΔＴを過熱度の規定範囲の上限値α１に加えてもよい。このようにしても、動力回収機４６での動力の回収量の変動が抑制される。この場合、圧力センサ７１は省略可能である。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、調整部６２，６６による蒸発器４２への作動媒体の流入量の調整は、図５に示されるように、ポンプ５０をバイパスするように循環流路５２に接続されたバイパス流路５４に設けられたバイパス弁５６の開度を調整することによって行われてもよい。あるいは、前記流入量の調整は、図６に示されるように、循環流路５２のうちポンプ５０の下流側の部位に設けられた流量調整弁５８の開度を調整することによって行われてもよい。なお、図５及び図６では、制御部６０に入力される信号の図示は省略されている。
【符号の説明】
【００４８】
１０    エンジン
２０    過給機
２１    タービン
２２    コンプレッサー
４０    熱エネルギー回収ユニット
４２    蒸発器
４４    膨張機
４６    動力回収機
４８    凝縮器
５０    ポンプ
５２    循環流路
５４    バイパス流路
５６    バイパス弁
６０    制御部
６２    調整部
６４    温度変化検出部
６６    調整部
６７    記憶部
【図１】
2019011710.tif 000003
【図２】
2019011710.tif 000004
【図３】
2019011710.tif 000005
【図４】
2019011710.tif 000006
【図５】
2019011710.tif 000007
【図６】
2019011710.tif 000008